(57)【要約】【課題】間仕切壁と、他の壁とが交差して設置される際に、これら間仕切壁および他の壁とを強固に接合できるとともに、建物の内部空間に安定的に設置させることができる間仕切壁。【解決手段】凹溝状に形成された金属製の上下のランナ２、３と、これら上下のランナ２、３の対向する凹溝に上下端部が嵌め込まれた複数の上下に長尺なスタッド４、５とによって骨組み１ａが形成され、この骨組み１ａの表裏両面に面材６が取り付けられてなる間仕切壁１であって、前記間仕切壁１の、他の壁１０と交差する部位に位置する前記スタッド４は木製であり、その他のスタッド５は金属製であることを前記課題の解決手段とした。【選択図】図１
2006009357.tif 000002
【特許請求の範囲】
【請求項１】
凹溝状に形成された金属製の上下のランナと、これら上下のランナの対向する凹溝に上下端部が嵌め込まれた複数の上下に長尺なスタッドとによって骨組みが形成され、この骨組みの表裏両面に面材が取り付けられてなる間仕切壁であって、
前記間仕切壁の、他の壁と交差する部位に位置する前記スタッドは木製であり、その他のスタッドは金属製であることを特徴とする間仕切壁。
【請求項２】
請求項１に記載の間仕切壁において、
前記木製のスタッドは、前記骨組みの横方向の端部に位置していることを特徴とする間仕切壁。
【請求項３】
請求項２に記載の間仕切壁において、
前記骨組みの横方向の端部に位置している木製のスタッドの上端部には、他の壁の上端部表面に取り付けられた補強部材に係合する切欠部が形成されていることを特徴とする間仕切壁。
【請求項４】
請求項１〜３のいずれか一項に記載の間仕切壁において、
前記上ランナの上面には、結合桁材が取り付けられており、この結合桁材の上面は勾配天井と等しく傾斜する傾斜面が形成されていることを特徴とする間仕切壁。
【発明の詳細な説明】
【技術分野】
【０００１】
本発明は、住宅等の建物の内部空間を区画する間仕切壁に関する。
【背景技術】
【０００２】
従来、住宅等の建物には内部空間を区画する間仕切壁が設けられている。間仕切壁は、例えば、予めパネル化した間仕切パネルを部屋内に組み付けること等により形成される。この間仕切パネルは、芯材を枠状に組んだ枠体の表面に石膏ボード等の壁面材を貼ることにより形成されている。
【０００３】
また、鋼製のランナとスタッド、さらに断熱材、石膏ボード等を組み合わせることで構成されている間仕切り壁も知られている（例えば、特許文献１参照。）。
【０００４】
前記特許文献１に記載の間仕切壁は、アングル状を呈し、四角枠を構成するように枠組みされる上下、左右のランナと、前記上、下ランナ間に立設した状態で所定間隔をおいて並設される複数本のスタッドと、これらのスタッドを内設するように前記四角枠の表裏面に張り付けられる一対の石膏ボードとを主体として構成されている。また、前記ランナは薄肉鋼板によってアングル状に形成され、前記スタッドは薄肉鋼板によって角パイプ状に形成されている。
【特許文献１】特開２００４−０８４２２１号公報
【発明の開示】
【発明が解決しようとする課題】
【０００５】
ところで、例えば図５に示すように、薄肉鋼板によって骨組みが形成された一方および他方の間仕切壁３０、４０を交差するようにして設置した際、これら両方の間仕切壁３０、４０を接合させるには、一方の間仕切壁３０の端部のランナ３１から、他方の間仕切壁４０のスタッド４１に向かってビス５０を打ち込んで接合する方法が知られている。
【０００６】
ところが、このような間仕切壁どうし３０、４０を接合させる場合、一方の間仕切壁３０のランナ３１と他方の間仕切壁４０のスタッド４１とは共に薄肉鋼板で形成されているので、これら両方の間仕切壁３０、４０どうしの接合部位も肉薄に形成されている。すなわち、ビス５０によって接合されている範囲Ａが肉薄な状態にある。
【０００７】
そこで、間仕切壁３０、４０どうしの接合部位に対してビス５０を打ち込むだけでなく、このビス５０が打ち込まれるべき接合部位の範囲Ａを肉厚にすることによって、間仕切壁３０、４０どうしを更に強固に接合し得て、建物の内部空間に間仕切壁３０、４０を安定的に設置することができる技術の開発が望まれていた。
【０００８】
本発明の課題は、間仕切壁を、他の壁と交差して設置する際に、間仕切壁を他の壁に強固に接合できるとともに、建物の内部空間に安定的に設置することができる間仕切壁を提供することを目的とする。
【課題を解決するための手段】
【０００９】
請求項１記載の発明は、例えば図１または図２に示すように、凹溝状に形成された金属製の上下のランナ２、３と、これら上下のランナ２、３の対向する凹溝に上下端部が嵌め込まれた複数の上下に長尺なスタッド４、５とによって骨組み１ａが形成され、この骨組み１ａの表裏両面に面材６が取り付けられてなる間仕切壁１であって、
前記間仕切壁１の、他の壁１０と交差する部位に位置する前記スタッド４は木製であり、その他のスタッド５は金属製であることを前記課題の解決手段とした。
【００１０】
請求項１記載の発明によれば、前記間仕切壁１の、前記他の壁１０と交差する部位に位置する前記スタッド４が木製であることから、これら間仕切壁１および他の壁１０とを接合する際に、木製のスタッド４に対してビス７止めすることができる。すなわち、従来とは異なり、肉厚の部分にビス７止めを行うので、これら間仕切壁１および他の壁１０とを強固に接合することができるとともに、接合状態を向上させることができる。また、前記間仕切壁１の、その他のスタッド５は金属製であることから、この間仕切壁１をより強固なものとすることができ、地震や経年劣化などに優れた構造とすることが可能である。したがって、建物の内部空間に前記間仕切壁１を安定的に設置することができる。
【００１１】
請求項２記載の発明は、例えば図１または図２に示すように、請求項１に記載の間仕切壁１において、
前記木製のスタッド４は、前記骨組み１ａの横方向の端部に位置していることを前記課題の解決手段とした。
【００１２】
請求項２記載の発明によれば、前記木製のスタッド４が前記骨組み１ａの横方向の端部に位置しているので、前記木製のスタッド４と、この木製のスタッド４に接する他の壁１０とを強固に接合することができる。したがって、前記木製のスタッド４を備える間仕切壁１と、前記他の壁１０とを強固に接合することができる。
【００１３】
請求項３記載の発明は、例えば図３に示すように、請求項２に記載の間仕切壁１において、
前記骨組み１ａの横方向の端部に位置している木製のスタッド４の上端部には、他の壁１０の上端部表面に取り付けられた補強部材１１に係合する切欠部４ａが形成されていることを前記課題の解決手段とした。
【００１４】
請求項３記載の発明によれば、前記骨組み１ａの横方向の端部に位置している木製のスタッド４の上端部には、切欠部４ａが形成されているので、この切欠部４ａを、他の壁１０の上端部表面に取り付けられた補強部材１１に係合することにより、前記補強部材１１を切り欠くことなく間仕切壁１を設置することができる。すなわち、前記骨組み１ａの横方向の端部に位置しているスタッドが、従来とは異なり、木製のスタッド４であることから、切欠部４ａを容易に形成することができる。したがって、前記他の壁１０の補強部材１１に前記間仕切壁１が干渉する場合であっても、他の壁１０の強度を確保しながらも、安定的に間仕切壁１を設置することができる。
【００１５】
請求項４記載の発明は、例えば図４に示すように、請求項１〜３のいずれか一項に記載の間仕切壁１において、
前記上ランナ２の上面２ａには、結合桁材１５が取り付けられており、この結合桁材１５の上面は勾配天井１６と等しく傾斜する傾斜面１５ａが形成されていることを前記課題の解決手段とした。
【００１６】
請求項４記載の発明によれば、前記上ランナ２の上面２ａには、結合桁材１５が取り付けられており、この結合桁材１５の上面は勾配天井１６と等しく傾斜する傾斜面１５ａが形成されているので、この傾斜面１５ａに勾配天井１６を設置することにより、勾配天井１６の直下の位置においても、勾配天井１６の勾配に応じて、間仕切壁１を安定的に設置することができる。
【発明の効果】
【００１７】
本発明によれば、前記間仕切壁の、前記他の壁と交差する部位に位置する前記スタッドが木製であることから、これら間仕切壁および他の壁とを接合する際に、木製のスタッドに対してビス止めすることができる。すなわち、従来とは異なり、肉厚の部分にビス止めを行うので、これら間仕切壁および他の壁とを強固に接合することができるとともに、接合状態を向上させることができる。また、前記間仕切壁の、その他のスタッドは金属製であることから、この間仕切壁をより強固なものとすることができ、地震や経年劣化などに優れた構造とすることが可能である。したがって、建物の内部空間に前記間仕切壁を安定的に設置することができる。
さらに、前記他の壁に取り付けられた補強部材に前記間仕切壁が干渉する場合や、前記勾配天井の直下に間仕切壁が設けられる場合等においても、この間仕切壁を安定的に設置することができる。
【発明を実施するための最良の形態】
【００１８】
以下、図面を参照して本発明に係る間仕切壁１の実施の形態について説明する。
【００１９】
本実施の形態の間仕切壁１は、図１に示すように、凹溝状に形成された金属製の上下のランナ２、３と、これら上下のランナ２、３の対向する凹溝に上下端部が嵌め込まれた複数の上下に長尺なスタッド４、５とによって骨組み１ａが形成され、この骨組み１ａの表裏両面に面材６が取り付けられてなる間仕切壁１であって、前記間仕切壁１の、他の壁１０と交差する部位に位置する前記スタッド４は木製であり、その他のスタッド５は金属製である。
【００２０】
前記ランナ２、３は、図２に示すように、凹溝状に形成された金属製のものであり、天井側に配置される上ランナ２と、床側に配置される下ランナ３とからなる。
前記上ランナ２は、その凹溝を下向きにして設けられ、前記下ランナ３は、その凹溝を上向きにして設けられており、これら上下のランナ２、３の対向する凹溝の間には、上下に長尺な複数のスタッド４、５が嵌め込まれるようになっている。
なお、この上下のランナ２、３は、本実施の形態では凹溝状に形成された金属製のものを用いるが、これに限られるものではなく、例えば、木製のランナに前記スタッド４、５用の切欠部分を形成させたものなどを用いても良く、適宜変更可能である。
【００２１】
前記スタッド４、５は、図２に示すように、前記上下のランナ２、３の対向する凹溝間に設けられるものであり、それぞれの端部を嵌め込むことで立設されている。また、間仕切壁１の強度を確保するように、この間仕切壁１の横方向において所定間隔をおいた位置に設けられている。
さらに、間仕切壁１が他の壁１０と交差する部位に位置するスタッド４は木製であり、その他のスタッド５は金属製である。
【００２２】
前記木製のスタッド４は、図２に示すように、間仕切壁１が他の壁１０と交差する部位、特に、前記骨組み１ａの横方向の端部等に位置しており、木製のスタッド４であるので、ビス７止め等の接合も容易に行うことができ、かつ、間仕切壁１および他の壁１０とを強固に接合することができるとともに、接合状態を向上させることができる。
なお、間仕切壁１に設けられる開口部Ｋの、その付近のスタッドにも前記木製のスタッド４を用いることが望ましい。すなわち、開口部Ｋ付近に前記木製スタッド４を設けた場合、開口部Ｋに木製の扉や引戸などを設置する際に、簡便に設置可能で、木製独特の手触り間や風合い等の美観的効果に優れている。
【００２３】
前記金属製のスタッド５は、図２に示すように、前記木製のスタッド４が設けられる部位のその他の部位に設けられており、前記間仕切壁１をより強固なものとすることができ、地震や経年劣化などに優れた構造とすることが可能である。
なお、このスタッド５に用いる金属として、例えばスチール等を用いた場合、天然木をスタッドに用いた場合よりもコストダウンを図ることが可能である。また、本実施の形態では前述のように、このスタッド５に用いる金属としてスチールを挙げたが、これに限られるものではなく適宜変更可能である。
【００２４】
前記面材６は、図２に示すように、前記上下のランナ２、３と、前記複数のスタッド４、５からなる骨組み１ａの表裏面に取り付けられており、前記ランナ２、３や前記スタッド４、５等に対してビス７を打ち込むことで固定されている。
なお、この面材６としては、本実施の形態では石膏ボードが用いられるが、これに限られるものではなく、例えば、耐火性、遮音性、断熱性等に優れる素材であれば良く、適宜変更可能である。
【００２５】
前記他の壁１０は、図１に示すように、前記間仕切壁１と交差して設けられるものであり、本実施の形態においては、建物の構造壁１０ａや前記間仕切壁１とは異なる他の間仕切壁１０ｂ等が用いられる。
前記構造壁１０ａとしては、パネル工法に用いられる壁パネル１０ａ等があり、この壁パネル１０ａとは、縦横の框材が矩形状に組み立てられるとともに、矩形枠の内部に補助棧材が縦横に組み付けられて枠体が構成され、この枠体の両面もしくは片面に、面材６が貼設されたものであり、内部中空な構造のものである。また、その内部中空な部分には、通常、グラスウールやロックウール等の断熱材が装填される。
前記他の間仕切壁１０ｂは、前記間仕切壁１と同様の構成でなり、前記間仕切壁１と交差して設けられる場合には、前記間仕切壁１の端部と接する位置に木製のスタッド４が設けられている。
【００２６】
以上のような構成の間仕切壁１を、他の壁１０と交差させて設置するには、まず、住宅の構造壁１０ａ（壁パネル）および床パネル９等の躯体を組み立てる。躯体組み立て完了後、間仕切壁１を形成する下ランナ３を床パネル９上へ固定配置する。この間仕切壁１に開口部Ｋを設ける場合は、複数の下ランナ３どうしを離して配置し、所定の開口間隔（開口部Ｋ）を設ける。
【００２７】
前記下ランナ３をビス７で固定後、床パネル９上にフローリング９ａを貼る。フローリング９ａは、下ランナ３に被らないよう隙間なく形成されている。フローリング９ａを接着剤等で貼り付け後、壁パネル１０ａ上に石膏ボード１０ｂをビス７で貼りつける。
【００２８】
天井捨て貼り後、天井に天井下地の枠組み作業を行い、天井下地に石膏ボードをビスで貼る（図示せず）。これらの作業後、上ランナ２をビスで天井に取り付ける。下ランナ３は、既に設置されているため上ランナ２は、下ランナ３と容易かつ正確に対向配置させることができ、間仕切壁１の歪みを最小限に抑えることができる。
【００２９】
前記上ランナ２を配置後、壁パネル１０ａに対して、間仕切壁１の端部に位置すべき木製スタッド４をビス７で取り付ける。この木製スタッド４は、上ランナ２および下ランナ３と所定の間隔を離して配置されている。
前記木製スタッド４を配置後、開口周り枠組み（開口部Ｋ）を取り付ける。開口周り枠組み（開口部Ｋ）は、２本の木製スタッド４を上ランナ２および下ランナ３にそれぞれ固定する。また、２本の木製スタッド４に、横芯材８ａが固定され、横芯材８ａと上ランナ２の間には、縦芯材８ｂがそれぞれ釘等で固定される。
【００３０】
開口周り枠組み（開口部Ｋ）を組立後、複数の金属製スタッド５を上ランナ２および下ランナ３にそれぞれビス７で固定する。金属製スタッド５を配置後、ボード受け用埋木（図示せず）を取り付ける。ボード受け用埋木は、木製スタッド４や横芯材８ａおよび縦芯材８ｂの穴や隙間などに木片を埋めて補修している。
【００３１】
ボード受け用埋木を取り付け後、面材６（石膏ボード）を、上下のランナ２、３および木製スタッド４、金属製スタッド５、横芯材８ａ、縦芯材８ｂにそれぞれビス７で貼り付けて完成となる。
なお、この間仕切壁１の内部に断熱材を組み込むことによって、遮音性能を向上させることができるので好ましい。
また、前記上ランナ２に、天井勾配の傾斜角度に応じて折り曲げ可能な薄肉ヒンジ部２ｃを設けることによって、この上ランナ２と天井との接合部に隙間や誤差が発生しにくいので好ましい。
【００３２】
以上のような間仕切壁１によれば、前記間仕切壁１の、前記他の壁１０と交差する部位に位置する前記スタッド４が木製であることから、これら間仕切壁１および他の壁１０とを接合する際に、木製のスタッド４に対してビス７止めすることができる。すなわち、従来とは異なり、肉厚の部分にビス７止めを行うので、これら間仕切壁１および他の壁１０とを強固に接合することができるとともに、接合状態を向上させることができる。また、前記間仕切壁１の、その他のスタッド５は金属製であることから、この間仕切壁１をより強固なものとすることができ、地震や経年劣化などに優れた構造とすることが可能である。したがって、建物の内部空間に前記間仕切壁１を安定的に設置することができる。
【００３３】
次に、図面を参照して本発明に係る間仕切壁１の、他の実施の形態について説明する。なお、以下、説明の便宜上、上述した構成要素と同様の構成部分の説明は省略し、異なる構成部分のみについて説明する。
【００３４】
本実施の形態の間仕切壁１は、凹溝状に形成された金属製の上下のランナ２、３と、これら上下のランナ２、３の対向する凹溝に上下端部が嵌め込まれた複数の上下に長尺なスタッド４、５とによって形成された骨組み１ａの横方向の端部に位置している木製のスタッド４の上端部には、図３に示すように、前記他の壁１０の上端部表面に取り付けられた補強部材１１に係合する切欠部４ａが形成されている。
【００３５】
前記切欠部４ａは、前記骨組み１ａの横方向の端部に位置している木製のスタッド４の上端部に形成されており、この木製のスタッド４は、間仕切壁１が他の壁１０と交差して設けられる際における、前記他の壁１０に接する部位に位置するスタッド４である。
そして、前記補強部材１１に係合するための部分を、この木製スタッド４の上端部が切り欠かれ、前記切欠部４ａが形成されている。
【００３６】
また、前記切欠部４ａの寸法に合わせて、前記木製のスタッド４とともに補強部材１１に接する前記上ランナ２もその端部２ｂを切り欠いて、前記補強部材１１と係合するように形成されている。
【００３７】
前記補強部材１１は、前記他の壁１０の強度を確保するために、該他の壁１０の上端部外面に設けられており、この補強部材１１には、マグサ受け１３を介してマグサ１２が設置されている。
なお、この補強部材１１は、本実施の形態では合板等で形成されているが、これに限られるものではなく、マグサ１２を支持し、かつ、壁の強度を確保できるとともに、所定の厚さで形成されているものであれば適宜変更可能である。
【００３８】
そして、あらかじめ、前記補強部材１１に係合するように、前記木製のスタッド４の上端部と、前記上ランナ２の端部２ｂとを切り欠いておき、上述した間仕切壁１の施工方法とほぼ同様の施工手順で作業を進めていき、ビス７等で固定して完成となる。
【００３９】
以上のような間仕切壁１によれば、前記木製のスタッド４の上端部に形成された切欠部４ａを、前記他の壁１０の上端部表面に取り付けられた前記補強部材１１に係合することにより、前記補強部材１１を切り欠くことなく間仕切壁１を設置することができる。すなわち、前記骨組み１ａの横方向の端部に位置しているスタッドが、従来とは異なり、木製のスタッド４であることから、切欠部４ａを容易に形成させることができる。したがって、本実施の形態のように、前記他の壁１０の補強部材１１に前記間仕切壁１が干渉する場合であっても、他の壁１０の強度を確保しながらも、安定的に間仕切壁１を設置することができる。
【００４０】
次に、図面を参照して本発明に係る間仕切壁１の、更に他の実施の形態について説明する。なお、以下、説明の便宜上、上述した構成要素と同様の構成部分の説明は省略し、異なる構成部分のみについて説明する。
【００４１】
本実施の形態の間仕切壁１は、凹溝状に形成された金属製の上下のランナ２、３と、これら上下のランナ２、３の対向する凹溝に上下端部が嵌め込まれた複数の上下に長尺なスタッド４、５とによって形成された骨組み１ａの、前記上ランナ２の上面２ａには、図４（ａ）に示すように、結合桁材１５が取り付けられており、この結合桁材１５の上面は勾配天井１６と等しく傾斜する傾斜面１５ａが形成され、この傾斜面１５ａ上に勾配天井１６が設置されている。また、本実施の形態の間仕切壁１は、前記勾配天井１６の棟方向に沿って立設されている。
【００４２】
前記結合桁材１５は、その上面に、勾配天井１６と等しく傾斜する傾斜面１５ａが形成されており、前記上ランナ２の上面２ａに、この結合桁材１５の下面１５ｂが接するようにして取り付けられている。
なお、この結合桁材１５の傾斜面１５ａは、天井勾配に応じて傾斜するので、例えば、勾配天井１６の勾配に関する規格等に合わせて複数種類の結合桁材１５を製造すると好ましい。
また、前記結合桁材１５と、前記上ランナ２との取り付けは、後工程において共に同一のビス７によって前記勾配天井１６に固定されるので、他のビスや接着剤、両面テープ等、仮に取り付けておけるいずれかの手段を用いるのが好ましい。
【００４３】
前記勾配天井１６は、天井の形状として少なくとも一部に勾配部分を有するものであり、野縁部材や棟部材（図示せず）、また、所定の勾配をつけて配置した複数の天井スタッド１６ａや、これら天井スタッド１６ａの下面に貼設した天井ボード１６ｂ等で構成されている。
なお、このような勾配天井１６を建物の内部空間に設けることによって、内部空間が高さ方向に広がるので、居住者に対して、開放感等を付与することができる。
【００４４】
前記天井スタッド１６ａは、天井に勾配をつけるためのものであり、本実施の形態では、木製のものを用いるが、金属製のものであっても良い。
また、前記天井ボード１６ｂは、複数の天井スタッド１６ａの建物内部側に貼設する石膏ボードであり、ビス７等により取り付けられている。
【００４５】
そして、このような構成の間仕切壁１および勾配天井１６を施工するには、図４（ｂ）に示すように、まず、あらかじめ前記結合桁材１５の下面１５ｂに対して前記上ランナ２の上面２ａを仮止めしておく。次に、上下のランナ２、３とスタッドとを仮配置して、すなわち、上下のランナ２、３の位置関係の確認や、結合桁材１５の傾斜角度の確認等を行うようにして、間仕切壁１の立設状態を確認する。
その後、前記間仕切壁１の立設状態に問題がなければ、上ランナ２とスタッド４、５や下ランナ３とスタッド４、５、また、スタッド４と他の壁１０等、この間仕切壁１の各部材を、それぞれ接合すべき部位に対してビス７等を打ち込んで固定する。また、図４（ａ）に示すように、前記上ランナ２と結合桁材１５とは、上ランナ２の下面から、結合桁材１５および天井ボード１６ｂを貫通して天井スタッド１６ａまでビス７を打ち込んで固定する。
【００４６】
以上のような間仕切壁１によれば、前記上ランナ２の上面２ａには、前記結合桁材１５が取り付けられており、この結合桁材１５の上面は前記勾配天井１６と等しく傾斜する傾斜面１５ａが形成されているので、この傾斜面１５ａに勾配天井１６を設置することにより、勾配天井１６の直下の位置においても、この勾配天井１６の勾配に応じた間仕切壁１を安定的に設置することができる。
【図面の簡単な説明】
【００４７】
【図１】本発明に係る間仕切壁の一例を示す斜視図である。
【図２】間仕切壁の構造の一例を示す概略斜視図である。
【図３】間仕切壁が他の壁に干渉する際の設置構造の一例を示す斜視図である。
【図４】勾配天井の直下における間仕切壁の一例を示し、（ａ）は勾配天井と間仕切壁との接合状態を示す側断面図であり、（ｂ）は結合桁材と上ランナとの取り付け状態を示す斜視図である。
【図５】従来の間仕切壁どうしの接合状態を示す平断面図である。
【符号の説明】
【００４８】
１  間仕切壁
２  上ランナ
３  下ランナ
４  木製のスタッド
５  金属製のスタッド
６  面材
１０  他の壁
【図１】
2006009357.tif 000003
【図２】
2006009357.tif 000004
【図３】
2006009357.tif 000005
【図４】
2006009357.tif 000006
【図５】
2006009357.tif 000007